(57)【特許請求の範囲】
【請求項１】
Ｘ線管と、Ｘ線撮影条件を設定する設定器と、該設定条件にしたがってＸ線管を制御しＸ線を発生させるＸ線制御装置と、被写体を透過したＸ線が入射され透過Ｘ線像を光学像に変換して出力するイメージインテンシファイアと、該イメージインテンシファイアの出力光学像が入射されるＴＶカメラと、該入射光学像の光量を絞る光学絞り装置と、各Ｘ線撮影条件ごとの絞り量についての基準データを保持する基準データメモリと、実際の個々の装置について代表的な撮影条件で求めた絞り量についてのデータと上記の基準データとの関係に基づいて他のすべての撮影条件での基準データを補正する補正する手段と、補正後のデータを個別データとして保持する個別データメモリと、設定条件にしたがって該個別データメモリから読み出したデータに応じて上記光学絞り装置を制御する光学絞り制御装置とを備えることを特徴とするＸ線テレビジョン装置。
【発明の詳細な説明】
【０００１】
【発明の属する技術分野】
この発明は、Ｘ線透過像をイメージインテンシファイアとＴＶカメラとを用いてビデオ信号に変換し、ＴＶモニター装置に表示するＸ線テレビジョン装置に関する。
【０００２】
【従来の技術】
Ｘ線透過像の画質はＸ線の性質つまりＸ線管電圧に依存する。そこで、最適なＸ線透過像を得るためには、各Ｘ線撮影テクニック（一般撮影、シネカメラ、等々）やイメージインテンシファイアの視野サイズごとに最適なＸ線管電圧を定める必要がある。Ｘ線テレビジョン装置ではこのＸ線透過像をＴＶカメラを用いてビデオ信号に変換することから、ＴＶモニター装置で表示される画像を最適なものとするためには、ＴＶカメラに入射する光量を適切なものにしなければならない。
【０００３】
そのため、従来では、ＴＶカメラの入射光量を絞る光学絞り装置の絞りの値を定める絞りデータを、各々の撮影テクニックやイメージインテンシファイアの視野サイズごとにＸ線曝射を繰り返す（合計数百回にもおよぶ）ことによって、求めて、これをメモリなどにデータテーブルとして記憶させている。イメージインテンシファイアの発光量は個体差がかなりあるため、病院などに実際に据え付けられたＸ線テレビジョン装置について個別にこのデータ収集と記憶保持とを行なっている。
【０００４】
【発明が解決しようとする課題】
しかしながら、絞りデータの収集には撮影テクニック・視野サイズの全ポイントにつきＸ線曝射を行なわなければならないので、数百回のＸ線曝射が必要であり、多大な労力がかかるとともに、Ｘ線管にかかる負荷も大きくなり、寿命も短縮するものであり、個々のＸ線テレビジョン装置においてこれを行なうことは病院等の各施設での負担が大き過ぎるという問題があった。
【０００５】
この発明は、上記に鑑み、個々の装置ごとの調整作業を容易にしながら、個別の装置において最適な光学絞り制御を行なうことができるように改善した、Ｘ線テレビジョン装置を提供することを目的とする。
【０００６】
【課題を解決するための手段】
上記の目的を達成するため、この発明によるＸ線テレビジョン装置においては、Ｘ線管と、Ｘ線撮影条件を設定する設定器と、該設定条件にしたがってＸ線管を制御しＸ線を発生させるＸ線制御装置と、被写体を透過したＸ線が入射され透過Ｘ線像を光学像に変換して出力するイメージインテンシファイアと、該イメージインテンシファイアの出力光学像が入射されるＴＶカメラと、該入射光学像の光量を絞る光学絞り装置と、各Ｘ線撮影条件ごとの絞り量についての基準データを保持する基準データメモリと、実際の個々の装置について代表的な撮影条件で求めた絞り量についてのデータと上記の基準データとの関係に基づいて他のすべての撮影条件での基準データを補正する補正する手段と、補正後のデータを個別データとして保持する個別データメモリと、設定条件にしたがって該個別データメモリから読み出したデータに応じて上記光学絞り装置を制御する光学絞り制御装置とが備えられることが特徴となっている。
【０００７】
各Ｘ線撮影条件ごとの絞り量についての基準データは基準となるイメージインテンシファイアについて求めたものであり、それをそのまま個別の実際の装置に適用すると、イメージインテンシファイアの発光量に個体差があることから、適切な光学絞り制御を行なうことができない。そこで、実際の個々の装置について代表的な撮影条件で絞り量を求めて、これを入力する。すると、その代表的な撮影条件で求めた絞り量についてのデータと上記の基準データとの関係に基づいて他のすべての撮影条件での基準データが自動的に補正されて個別データとして保持される。Ｘ線撮影条件が設定されると、それに対応した個別データに基づいて光学絞り制御がなされるので、最適な光学絞りとして優れた画質の画像を得ることができる。個々の装置において絞り量を求める作業は、代表的なＸ線撮影条件についてだけ行なえばよいので、Ｘ線曝射の回数が増えたり、過度な労力がかかることがなくなる。
【０００８】
【発明の実施の形態】
つぎに、この発明の実施の形態について図面を参照しながら詳細に説明する。図１において、被写体１０に対してＸ線管１２が向けられており、被写体１０を挟むようにＸ線管１２と対向してイメージインテンシファイア１３が配置されている。Ｘ線管１２はＸ線制御装置１１から高電圧を供給されてＸ線を被写体１０の方向に照射する。Ｘ線制御装置１１には、撮影テクニック設定器２１と、イメージインテンシファイア１３の視野サイズ設定器２２とが備えられている。撮影テクニック設定器２１で、一般撮影、シネカメラ等の撮影テクニックを設定すると、これに応じてＸ線管１２に供給する高電圧等が制御される。視野サイズ設定器２２で視野サイズが設定されると、それに応じてイメージインテンシファイア１３の視野サイズが制御される。
【０００９】
被写体１０を透過したＸ線はイメージインテンシファイア１３に入射して可視光に変換される。これによりＸ線透過像に対応する光学像がイメージインテンシファイア１３より出力される。この光学像はレンズ等の光学系を経てＴＶカメラ１５に導かれる。この光学系には光学絞り装置１４が挿入され、ＴＶカメラ１５への入射光量が調整されるようになっている。この光学絞り装置１４は光学絞り制御装置２６によってその絞り量が制御される。ＴＶカメラ１５から出力されるビデオ信号はＴＶモニター装置１６に送られる。透視時には、このＴＶモニター装置１６に写し出されたＸ線画像を観察することができる。
【００１０】
上記のように撮影テクニックおよび視野サイズが設定されると、個別データテーブル２５からそれに応じたデータが取り出されて光学絞り制御装置２６に送られ、光学絞り制御装置２６は、そのデータに応じて光学絞り装置１４の絞り量を制御する。この個別データテーブル２５は、基準データテーブル２３の各データを補正回路２４で補正して作られたもので、メモリに記憶されている。
【００１１】
基準データテーブル２３は、工場出荷時などにメモリに書き込まれるものである。基準となるイメージインテンシファイア１３を用い、撮影テクニックおよびイメージインテンシファイア視野サイズの数百におよぶ各々の組み合わせよりなる各Ｘ線撮影条件ごとにＸ線曝射して最適な光学絞り量を求め、最適絞り量についてのデータを得て、これを撮影条件ごとにテーブル化したものが基準データテーブルである。この基準データをＤａ，Ｄｂ，Ｄｃ，…，Ｄｘ，…とする。
【００１２】
実際に病院等に設置されたＸ線テレビジョン装置のイメージインテンシファイア１３の発光量は、基準として用いたイメージインテンシファイアの発光量とは異なる。そこで、据え付けられた病院等の現場で、撮影テクニックおよびイメージインテンシファイア視野サイズのいくつかの代表的な組み合わせよりなる各Ｘ線撮影条件ごとにＸ線曝射して最適な光学絞り量を求める。ある代表的なＸ線撮影条件で求められた最適絞り量についてのデータをＥｘとすると、その同一条件での基準データＤｘから、Ｒｘ＝Ｅｘ／Ｄｘを求める。このＲｘは、その条件下での実際の個別イメージインテンシファイア１３の基準イメージインテンシファイアに対する発光量比を表わす。
【００１３】
そこで、この代表的な条件についての発光量比Ｒｘを用いて、補正回路２４において、基準データテーブル２３の各データを補正する。すなわち、Ｅａ＝Ｄａ・Ｒｘ、Ｅｂ＝Ｄｂ・Ｒｘ、…の計算を行なって補正後のデータＥａ，Ｅｂ，Ｅｃ，…を求め、これを個別データテーブル２５としてメモリに記憶する。
【００１４】
そして、この個別データテーブル２５の各データが設定されたＸ線条件に応じて読み出されて光学絞り装置１４が制御されるため、個々のイメージインテンシファイア１３の発光特性に応じた光学絞り制御がなされ、個々の装置におけるＴＶカメラ１５から最適な画像のＸ線透過像を表わすビデオ信号を得ることができる。
【００１５】
この場合、個々のＸ線テレビジョン装置については、据え付けられた病院等の現場において、代表的なＸ線撮影条件でのＸ線曝射を行ない、その各々での最適絞り量についてのデータを得るだけでよいので、曝射回数も少なく、それほど負担とはならない。すなわち、実際には病院等では、代表的なＸ線撮影条件でのＸ線曝射を行ない、その各々での最適絞り量を求めてこれを入力するだけでよい。こうすることにより、補正回路２４による、基準データの自動的な補正演算および個別データテーブル２５の作成・メモリへの書き込みが行われる。
【００１６】
なお、補正回路２４は、Ｘ線制御装置１１内のＣＰＵを利用してソフトウェア的に構成することもできる。その他、この発明の趣旨を逸脱しない範囲で、具体的な構成は種々に変更可能であることはもちろんである。
【００１７】
【発明の効果】
以上説明したように、この発明のＸ線テレビジョン装置によれば、個々の装置における絞り量を求めるための作業は、代表的なＸ線撮影条件についてだけ行なえばよいので、Ｘ線曝射の回数は少なくて済み、その作業の負担は軽いものとなる。しかも、これにより、すべてのＸ線撮影条件に関して個別装置における最適絞り量データが得られ、この個別データに基づいて光学絞り制御がなされるので、最適な光学絞り制御の下で優れた画質の画像を得ることができる。
【図面の簡単な説明】
【図１】この発明の実施の形態を示すブロック図。
【符号の説明】
１０          被写体
１１          Ｘ線制御装置
１２          Ｘ線管
１３          イメージインテンシファイア
１４          光学絞り装置
１５          ＴＶカメラ
１６          ＴＶモニター装置
２１          撮影テクニック設定器
２２          視野サイズ設定器
２３          基準データテーブル
２４          補正回路
２５          個別データテーブル
２６          光学絞り制御装置
【図１】
0003617214.tif 000002